(57)【特許請求の範囲】
【請求項１】
使い捨て着用物品であって、前記着用物品１は、着用者の前後の胴を覆う前後の胴回り部３と、前記前後の胴回り部３に架設された吸収性本体２とを包含し、
前記前後の胴回り部３の各々は、胴回り方向Ｘに延びる複数の弾性部材３２が２枚のシート片３１の間に挟まれて形成されており、
前記胴回り方向Ｘに間欠的に配置され、かつ、前記胴回り方向Ｘに直交する方向Ｙに間欠的に配置された複数の第１接合部４において、前記２枚のシート片３１が互いに溶着接合されており、
前記胴回り部３の前記吸収性本体２が付着された付着領域α３の真上の中央領域α１と、前記胴回り部３における前記付着領域α３および前記中央領域α１の両側の端部領域α２とに前記複数の第１接合部４が配置され、
前記中央領域α１における互いに隣り合う前記第１接合部４の前記胴回り方向ＸのピッチＰは、前記端部領域α２における互いに隣り合う前記第１接合部４の前記胴回り方向ＸのピッチＰ１よりも小さい、着用物品。
【請求項２】
請求項１の着用物品において、
前記複数の第１接合部４は前記複数の弾性部材３２のうち互いに隣り合う２本の弾性部材３２の間において前記胴回り方向Ｘに直交する方向Ｙにも間欠的に配置されている、着用物品。
【請求項３】
請求項２の着用物品において、
前記前後の胴回り部３の前記胴回り方向Ｘの端部Ｅ３において、かつ、前記直交する方向Ｙに間欠的に配置された複数の第２接合部５において、前記前後の胴回り部３が互いに溶着接合されており、
前記複数の第２接合部５に隣り合う前記第１接合部４と前記第２接合部５との前記胴回り方向ＸのピッチＰ３が、前記端部領域α２における前記第１接合部４同士の前記胴回り方向ＸのピッチＰ１と同等である、着用物品。
【発明の詳細な説明】
【技術分野】
【０００１】
本発明は使い捨てパンツやオムツなどの着用物品に関する。
【背景技術】
【０００２】
２枚の連続不織布の間に連続弾性部材を挟み込んで、前記２枚の連続不織布同士を接着剤により接着して胴回り方向に延びる胴回り部を生成する方法は周知である。下記の文献１のパンツ型着用物品の発明は、胴回り部を構成する２枚の不織布間に複数の弾性部材を挟み込み、両不織布を弾性部材の間で間欠的に溶着接合している。かかる着用物品においては弾性部材の収縮力により襞（ギャザー）が形成される。
【先行技術文献】
【特許文献】
【０００３】
【特許文献１】ＪＰ２００８−１３２０２３Ａ
【発明の概要】
【０００４】
前記文献１の着用物品において、胴回り部の胴回り方向の中央部分には吸収性本体が配置されており、そのため、前記中央部分はその両側の端部領域に比べ剛性が大きい。かかる剛性の大きい中央部分は美しい襞（ギャザー）が形成されにくい。その結果、着用物品の外観が低下する。
【０００５】
したがって、本発明の目的は外観の良い使い捨て着用物品を提供することである。
【０００６】
本発明の使い捨て着用物品は、着用者の前後の胴を覆う前後の胴回り部３と、前記前後の胴回り部３に架設された吸収性本体２とを包含し、
前記前後の胴回り部３の各々は、胴回り方向Ｘに延びる複数の弾性部材３２が２枚のシート片３１の間に挟まれて形成されており、
前記胴回り方向Ｘに間欠的に配置され、かつ、前記胴回り方向Ｘに直交する方向Ｙに間欠的に配置された複数の第１接合部４において、前記２枚のシート片３１が互いに溶着接合されており、
前記胴回り部３の前記吸収性本体２が付着された付着領域α３の真上の中央領域α１と、前記胴回り部３における前記付着領域α３および前記中央領域α１の両側の端部領域α２とに前記複数の第１接合部４が配置され、
前記中央領域α１における互いに隣り合う前記第１接合部４の前記胴回り方向ＸのピッチＰは、前記端部領域α２における互いに隣り合う前記第１接合部４の前記胴回り方向ＸのピッチＰ１よりも小さい。
【０００７】
本発明によれば、中央領域α１の第１接合部４の胴回り方向ＸのピッチＰが小さく、そのため、剛性の大きい中央領域α１においてもきめの細かい襞が形成される。そのため、物品の外観が向上する。
【０００８】
本発明において、第１接合部４の胴回り方向ＸのピッチＰとは互いに隣り合う第１接合部４の中心間の胴回り方向Ｘについての距離を意味する。
【図面の簡単な説明】
【０００９】
【図１】本発明の一実施例にかかり、弾性部材を引き延ばした状態で示す着用物品の正面図である。
【図２】同着用物品が第２接合部で接合されていない展開状態で示される正面図である。
【図３】図１の部分拡大正面図である。
【図４】製造方法の示す概略側面図および平面図である。
【図５】胴回り連続体の生成方法を示す平面図である。
【図６】胴回り連続体からパンツ型着用物品を生成する方法を示す平面図である。
【図７】着用物品の他の例を示す正面図である。
【００１０】
図１〜図３Ｃおよび図５〜図７において第１接合部はグレーで表記されている。
図１、図３Ｂ、図６および図７において第２接合部は黒く塗り潰して表記されている。
図４Ｂにおいては各接合部の図示を省略している。図を見易くするために、図１〜図３の接合部の数に対し、図５および図６の同接合部の数を減らして図示している。
図１〜図７において接着剤はドット模様で表記されている。
【発明を実施するための形態】
【００１１】
好ましくは、複数の第１接合部４は前記複数の弾性部材３２のうち互いに隣り合う２本の弾性部材３２の間において前記胴回り方向Ｘに直交する方向Ｙにも間欠的に配置されている。
【００１２】
この場合、広い領域にわたって美しい襞が形成され、物品の外観が更に向上する。
【００１３】
更に好ましくは、前後の胴回り部３の前記胴回り方向Ｘの端部Ｅ３において、かつ、前記直交する方向Ｙに間欠的に配置された複数の第２接合部５において、前記前後の胴回り部３が互いに溶着接合されており、
前記複数の第２接合部５に隣り合う前記第１接合部４と前記第２接合部５との前記胴回り方向ＸのピッチＰ３が、前記端部領域α２における前記第１接合部４同士の前記胴回り方向ＸのピッチＰ１と同等である。
【００１４】
この場合、端部領域α２において、第１接合部４と第２接合部５とのピッチＰ３は第１接合部４，４同士のピッチＰ１と同等であり、外観の統一感が向上し、そのため、物品の見栄えが向上する。
【００１５】
なお、前記ピッチＰ３は第１接合部４の胴回り方向Ｘの中心と第２接合部５の胴回り方向Ｘの中心との距離を意味する。
【００１６】
１つの前記各実施態様または下記の実施例に関連して説明および／または図示した特徴は、１つまたはそれ以上の他の実施態様または他の実施例において同一または類似な形で、および／または他の実施態様または実施例の特徴と組み合わせて、または、その代わりに利用することができる。
【実施例】
【００１７】
本発明は、添付の図面を参考にした以下の好適な実施例の説明からより明瞭に理解されるであろう。しかし、実施例および図面は単なる図示および説明のためのものであり、本発明の範囲を定めるために利用されるべきものではない。本発明の範囲は請求の範囲によってのみ定まる。添付図面において、複数の図面における同一の部品番号は、同一または相当部分を示す。
【００１８】
以下、本発明の実施例１にかかる着用物品１の構造が図面にしたがって説明される。
図１〜図６は実施例１を示す。
【００１９】
図１および図２に示すように、本実施例１の着用物品１は、左右対称の形状および構造を有し、吸収性本体２および一対の胴回り部３を備えている。前記吸収性本体２は、着用者の前胴を覆い胴回り方向Ｘに延びる胴部、着用者の後胴を覆い胴回り方向Ｘに延びる胴部、ならびに、前記両胴部の間の股間を覆う股部２２を有している。
【００２０】
前記股部２２は前記胴回り方向Ｘに直交する縦方向Ｙに延びる。前記吸収性本体２は股部２２の一部又は全部を構成する。
【００２１】
図１のように、完成品の状態では、前記股部２２は前記胴回り方向Ｘに平行なラインにおいて２つに折られている。これにより、図２の前記一対の胴回り部材３の胴回り方向Ｘの端部Ｅ３同士が図１のように互いに重なっている。本実施例の場合、着用物品はパンツ型であり、前胴回り部３と後胴回り部３の胴回り方向Ｘの端部同士が互いに溶着されていてもよい。なお、オムツ型の着用物品の場合は、端部同士がテープやファスナで接合される。
【００２２】
図２の前記吸収性本体２には図示しない吸収コアが設けられており、この吸収コアは体液を吸収する。前記吸収コアは、トップシートとバックシートとの間で挟まれていると共に、各シートおよび吸収コアは互いに積層されている。
【００２３】
前記トップシートは透液性の薄い不織布からなり、吸収コアの肌面を覆う。このトップシートの上には、図示しないカフが設けられていてもよい。
【００２４】
前記バックシートは吸収コアの非肌面を覆い、液不透過性の樹脂シートからなる。前記吸収性本体２の前記縦方向Ｙの各端部には、前記各胴回り部３が貼り付けられている。    
【００２５】
前記各胴回り部３は、前記吸収性本体２から胴回り方向Ｘに突出している。つまり、前記胴回り部３は、股部２２よりも胴回り方向Ｘに突出し吸収性本体２の両縁部(胴回り方向の端部)Ｅ２から胴回り方向Ｘに延び出している。
【００２６】
各胴回り部３には、着用物品１を着用者にフィットさせるための弾性部材３２が設けられている。この弾性部材３２としては、たとえば、複数本の糸ゴムや平ゴムまたは熱可塑性樹脂を含む材料などを採用することができる。また、弾性部材３２は吸収性本体２の胴部において、つまり付着領域α３において、無効化され（収縮力がない状態とされ）ていてもよい。
【００２７】
前記吸収性本体２には、着用者の脚部に沿って括れた脚回り部を形成してもよい。前記脚回り部や、前記胴回り部３の脚回り部に連なる部位には、着用者の脚回りに沿うように、たとえば、糸ゴムなどからなる別の弾性部材が設けられていてもよい。
【００２８】
前記吸収性本体２は前記胴回り部３の肌面に付着されている。
本明細書において、「肌面」とは着用物品１の着用時において着用者の肌に対面する面をいい、「非肌面」とは前記肌面とは反対の面をいう。
【００２９】
つぎに、本着用物品１の要部について説明される。
【００３０】
図２において、前記前後の胴回り部３の各々は、胴回り方向Ｘに延びる複数の弾性部材３２が２枚の不織布シート片３１の間に挟まれて形成されている。グレーで表記された多数の第１接合部４において、前記２枚のシート片３１は互いに溶着接合されている。本実施例の場合、前記多数の第１接合部４は前記弾性部材３２に重なっておらず、前記第１接合部４で互いに接合された２枚のシート片３１は弾性部材３２の収縮力により襞（ギャザー）を形成する。
【００３１】
前記複数の第１接合部４は、胴回り方向Ｘと直交する縦方向Ｙとにマトリクス状に配列されている。すなわち、本実施例の場合、前記複数の第１接合部４は、前記胴回り方向Ｘに間欠的に配置され、かつ、前記複数の弾性部材３２のうち互いに隣り合う２本の弾性部材３２の間において前記縦方向Ｙに間欠的に配置されている。
なお、多数の第１接合部４は前記弾性部材３２に重なっていてもよい。
【００３２】
図１に示すように、黒く塗り潰して表記した複数の第２接合部５において、前記前後の胴回り部３が互いに溶着接合されている。前記複数の第２接合部５は前記前後の胴回り部３の前記胴回り方向Ｘの端部Ｅ３において前記縦方向Ｙに間欠的に配置されている。
【００３３】
前記各第２接合部５に前記第１接合部４が重なることなく、かつ、前記第２接合部５に前記第１接合部４が接することなく、前記第２接合部５の列に前記第１接合部４の列が互いに隣り合って平行に配置されている。
【００３４】
図２において、各胴回り部３は、第１および第２接着領域αＣ、αＣ２において前記２枚のシート片３１の少なくともいずれか一方に前記弾性部材３２が接着剤ＣＥを介して接着されている。なお、前記両接着領域αＣ，αＣ２において前記２枚のシート片３１は前記接着剤ＣＥにより互いに接着されている。
【００３５】
図１の前記第１接着領域αＣは前記複数の第１接合部４のうちの前記複数の第２接合部５に隣り合う複数の前記第１接合部４と前記複数の第２接合部５との間において、つまり端部Ｅ３において各胴回り部３の前記縦方向Ｙに延びている。なお、図２の中間品を示す展開状態においては、胴回り部３は白抜きの方形で示した部分５で未だ溶着接合されていない。
【００３６】
図２の第２接着領域αＣ２は胴回り部３の吸収性本体２に近接ないし隣接する部位において縦方向Ｙに延びている。
【００３７】
一方、一対のシート片３１は非接着領域αＮにおいて互いに接着剤ＣＥでは接着されていない。非接着領域αＮは前記複数の第２接合部５を包含する領域で、かつ、前記接着領域αＣに隣接する。この非接着領域αＮは各胴回り部３の胴回り方向Ｘの端部Ｅ３において縦方向Ｙに延びる。
【００３８】
図１のグレーで示した前記第１接合部４と黒色で示した前記第２接合部５とは互いに同じパターンで形成されている。
【００３９】
すなわち、図３Ｂの前記縦方向Ｙに間欠的に配置された前記第２接合部５の前記縦方向ＹのピッチＰ２は、前記縦方向Ｙに間欠的に配置された前記第１接合部４の前記縦方向ＹのピッチＰ２と同等（同程度）である。また、前記複数の第２接合部５の各第２接合部５の形状および大きさは、前記複数の第１接合部４の各第１接合部４の形状および大きさと同程度である。
【００４０】
例えば、前記各第１および第２接合部４，５の前記胴回り方向Ｘの長さＬ１は前記縦方向Ｙの長さＬ２よりも短い。
【００４１】
図１において、前記第１接合部４は前記胴回り部３の前記吸収性本体２が付着された付着領域α３の真上の中央領域α１と、前記胴回り部３の付着領域α３および前記中央領域α１の両側の端部領域α２とに配置されている。なお、前記付着領域α３については、前記第１接合部４が多数配置されていてもよいし、配置されていなくてもよい。
【００４２】
図３Ａの前記中央領域α１における互いに隣り合う前記第１接合部４の前記胴回り方向ＸのピッチＰは図３Ｂおよび図３Ｃの前記端部領域α２における互いに隣り合う前記第１接合部４の前記胴回り方向ＸのピッチＰ１よりも小さい。
【００４３】
図３Ｂの前記複数の第２接合部５に隣り合う前記第１接合部４と前記第２接合部５との前記胴回り方向ＸのピッチＰ３は、前記端部領域α２における前記第１接合部４同士の前記胴回り方向ＸのピッチＰ１よりも大きくてもよいし、あるいは、同等（同程度）であってもよい。
【００４４】
つぎに、本着用物品１の製造方法が説明される。
【００４５】
図４Ａおよび図４Ｂに示すように、搬送方向Ｌに延びる複数本の連続弾性部材Ｆが搬送方向Ｌに伸張された状態で搬送方向Ｌに搬送される。
【００４６】
ニップロール６０は前記搬送方向Ｌに延びる一対の側縁部４Ｅを有する２枚の連続シート（例えば連続不織布）Ｗ４の間に前記連続弾性部材Ｆを挟むと共に、前記連続シートＷ４に塗布された接着剤ＣＥを介して前記２枚の連続シートＷ４が互いに重なるように接着して連続体４０を生成する。
【００４７】
シールロール６１により、図５の前記搬送方向Ｌに間欠的に、かつ、前記複数の連続弾性部材Ｆの間において所定のパターンで前記複数の連続シートＷ４同士が多数の第１接合部４で互いに溶着接合される。なお、この溶着接合はヒートシール（熱溶着）であってもよいし、超音波エネルギーによる溶着であってもよい。
【００４８】
前記連続体４０は前記付着領域α３となる部位の間において、つまり、図５の二点鎖線で示す領域において、ロール６２（図４Ａ）により前記連続弾性部材Ｆが切断等されて無効化される。なお、後の工程で無効化された付着領域α３には吸収性本体２が貼付けられる。
【００４９】
図５に示すように、前記一対の側縁部４Ｅを有する連続体４０は搬送方向Ｌに搬送されながら搬送方向Ｌに沿ってスリッタ６３（図４Ａ）でスリットされる。これにより、前記連続体４０は前後の胴回り部となる一対の胴回り連続体４０となる。前記スリット後、前記搬送方向Ｌに直交する縦方向Ｙに互いに離間するように、前記２つの胴回り連続体４０が前記縦方向Ｙに相対移動される。
【００５０】
その後、前記一対の胴回り連続体４０が互いに概ね平行に前記搬送方向Ｌに搬送されながら、前記吸収性本体２が前記一対の胴回り連続体４０に跨り、かつ、前記各胴回り連続体４０に一部（付着領域α３）において重なるように前記吸収性本体２が配置（架設）されて、連続積層体Ｗ１が生成される。
【００５１】
その後、図６に示すように、前記連続積層体Ｗ１は前記一対の胴回り連続体４０同士が互いに重なるように、前記吸収性本体２において２つに折り畳まれる。
【００５２】
図６に示すように、前記前後の胴回り部３となる部分の端部Ｅ３において、かつ、前記複数の第１接合部４のうちの互いに隣り合う第１接合部４の間の第２接合部５において、前記一対の胴回り連続体４０同士が前記所定のパターンと同様のパターンで互いに溶着接合される。なお、この溶着接合は図４Ａの超音波ホーン６４の超音波エネルギーによる溶着であってもよいし、ヒートシールであってもよい。
【００５３】
図３Ｂのように、前記第２接合部５の前記縦方向ＹのピッチＰ２は前記第１接合部４の前記縦方向ＹのピッチＰ２と同等となるように、前記溶着接合する工程が実行される。
【００５４】
また、前記複数の第２接合部５の各第２接合部５の形状および大きさは前記複数の第１接合部４の各第１接合部４の形状および大きさと同程度となるように、前記溶着接合する工程が実行される。
【００５５】
図３Ｂのように、前記各第１および第２接合部４，５の前記胴回り方向Ｘの長さＬ１が前記直交する縦方向Ｙの長さＬ２よりも短い前記所定のパターンで前記２回の溶着接合が実行される。
【００５６】
前記複数の第１接合部４のうちの前記複数の第２接合部５に隣り合う複数の第１接合部４と第２接合部５との間の接着領域αＣにおいて、前記２枚のシート片３１の少なくともいずれか一方に前記弾性部材３２が接着剤ＣＥを介して接着された状態で前記弾性部材３２を挟む工程が実行される。また、前記接着領域αＣに隣接する非接着領域αＮに前記複数の第２接合部５が配置されるように、前記溶着接合する工程が実行される。
【００５７】
前記各第２接合部５が前記第１接合部４に重なることなく、かつ、前記第２接合部５が前記第１接合部４に接することなく、前記第２接合部５の列が前記第１接合部４の列に互いに隣り合って配置されるように、前記連続体４０を生成する工程および溶着接合する工程が実行される。
【００５８】
その後、図６の前記連続積層体Ｗ１は一点鎖線で示す仮想の切断線ＣＬ２に沿って個々の着用物品１ごとの大きさ（単位）に切り取られる。すなわち、個々の着用物品１を次々に生成するために、連続積層体Ｗ１が吸収性本体２同士の間において縦方向Ｙに次々に切断される。こうして、着用物品１の胴回り方向Ｘの端部Ｅ３となる位置において、かつ、２列の第２接合部５，５の間において、一対の胴回り連続体４０が次々に切断される。これにより、図１に示す個々のパンツ型着用物品１が得られる。
【００５９】
図７は実施例２を示す。
この図において、前記複数の第２接合部５に隣り合う前記第１接合部４と前記第２接合部５との前記胴回り方向ＸのピッチＰ３と、前記端部領域α２における前記第１接合部４同士の前記胴回り方向ＸのピッチＰ１とは概ね等しい。
【００６０】
以上のとおり、図面を参照しながら好適な実施例を説明したが、当業者であれば、本明細書を見て、自明な範囲で種々の変更および修正を容易に想定するであろう。
たとえば、着用物品はオムツ型であってもよい。また、物品は縦流れで製造されてもよい。本着用物品は、カフなどを有していなくてもよい。また、胴回り部材における吸収性本体とラップする部位以外の部位についても、弾性部材の張力が無効化されてもよい。
したがって、そのような変更および修正は、請求の範囲から定まる本発明の範囲内のものと解釈される。
【産業上の利用可能性】
【００６１】
本発明はパンツタイプおよびオムツタイプの着用物品に適用できる。
【符号の説明】
【００６２】
１：着用物品  ２：吸収性本体  ２２：股部
３：胴回り部  ３１：シート片  ３２：弾性部材
４：第１接合部  ５：第２接合部
４０：胴回り連続体
ＣＥ：接着剤
Ｅ２：縁部  Ｅ３：端部
Ｆ：連続弾性部材
Ｌ：搬送方向  Ｌ１：長さ  Ｌ２：長さ
Ｐ１，Ｐ２，Ｐ３：ピッチ
Ｘ：胴回り方向  Ｙ：直交する方向（縦方向）
Ｗ１：連続積層体  Ｗ４：連続シート
α１：中央領域  α２：端部領域  α３：付着領域
αＣ，αＣ２：接着領域  αＮ：非接着領域
【図１】
0006489688.tif 000002
【図２】
0006489688.tif 000003
【図３】
0006489688.tif 000004
【図４】
0006489688.tif 000005
【図５】
0006489688.tif 000006
【図６】
0006489688.tif 000007
【図７】
0006489688.tif 000008